(57)【要約】      （修正有）【課題】避難容易性や安全性など種々の観点から従来よりも有効に作用することができる津波対策用シェルタを提供する。【解決手段】津波対策用シェルタ１は、下側フランジ及び下方凹部を有する略正立椀状の下筐体部２１０と、上側フランジ及び上方凹部を有する略倒立椀状の上筐体部２２０と、を有する筐体２と、下筐体部２１０及び上筐体部２２０の各内部並びに下方凹部及び上方凹部が相対するように下側フランジ及び上側フランジを密着させる固定部３と、下方凹部及び上方凹部より構成される出入口２０６に密着する水密ドア４と、下面部の内側に固定される浮体部と、を備える。【選択図】図１
2014159218.tif 000002
【特許請求の範囲】
【請求項１】
横方向内側に延びる下側フランジを上周縁部に有する略正立椀状に構成されており、正面視、背面視、右側面視及び左側面視の少なくとも一方視において出入口の周縁部の一部を構成する下方凹部を有する下筐体部と、
横方向内側に延びる上側フランジを下周縁部に有する略倒立椀状に構成されており、前記正面視、前記背面視、前記右側面視又は前記左側面視の少なくとも一方視において前記出入口の周縁部の一部を構成する上方凹部を有する上筐体部と、
を有する筐体と、
前記下筐体部及び前記上筐体部の各内部並びに前記下方凹部及び前記上方凹部が相対するように接触する前記下側フランジ及び前記上側フランジを密着させる固定部と、
前記下方凹部及び前記上方凹部より構成される前記出入口の周縁部に密着する水密ドアと、
前記下筐体部に設けられる下面部の内側又は外側に固定される浮体部と、
を備えていることを特徴とする津波対策用シェルタ。
【請求項２】
前記筐体は、平面状又は曲面状の正面部、背面部、左側面部、右側面部、上面部及び下面部により構成されており前後方向を長手方向とする略中空直方体状に構成されていると共に、前記正面部及び前記背面部のうちの少なくとも一方に換気口を有する
ことを特徴とする請求項１に記載の津波対策用シェルタ。
【請求項３】
少なくとも前記右側面部及び前記左側面部は、各面部の接触部において、前記各面部が平面直交状態の場合と比較して５〜１５度外側に傾斜している
ことを特徴とする請求項２に記載の津波対策用シェルタ。
【請求項４】
前記下側フランジ及び前記上側フランジは、イス、物入れ、人体固定具その他の内装物の支持部として兼用される
ことを特徴とする請求項１から請求項３のいずれか１項に記載の津波対策用シェルタ。
【請求項５】
前記下筐体部及び前記浮体部のうち最下面となる下面部は、平面状に構成されており、
前記浮体部は、平板状に構成されている
ことを特徴とする請求項１から請求項４のいずれか１項に記載の津波対策用シェルタ。
【請求項６】
前記津波対策用シェルタの体積及び重量は、前記津波対策用シェルタが津波によって流されたとき、喫水線が前記下筐体部の下面から前記下方凹部の間に位置するように設定されており、
前記浮体部の重量は、前記津波対策用シェルタが最低重量であって水面上静止状態において転倒しないように設定されている
ことを特徴とする請求項１から請求項５のいずれか１項に記載の津波対策用シェルタ。
【請求項７】
前記浮体部は、撥水性を有することにより、海水等の液体に接したときに重量変化をほとんど生じないように構成されている
ことを特徴とする請求項１から請求項６のいずれか１項に記載の津波対策用シェルタ。
【請求項８】
前記筐体の正面部、背面部、右側面部、左側面部及び上面部のうちの少なくとも一個の面部は、窓部及び／又は非常口を有する
ことを特徴とする請求項１から請求項７のいずれか１項に記載の津波対策用シェルタ。
【請求項９】
前記筐体は、吊り金具又は／及び固定金具を有する
ことを特徴とする請求項１から請求項８のいずれか１項に記載の津波対策用シェルタ。
【発明の詳細な説明】
【技術分野】
【０００１】
本発明は、津波対策用シェルタに係り、特に、足が不自由でも容易かつ迅速に非難するのに好適に利用できる津波対策用シェルタに関する。
【背景技術】
【０００２】
従来の津波対策用シェルタは、その一例として、出入口及び避難室を有するボウル状の本体上部と、浮力室を有するボウル状の本体下部とにより構成される球体状のシェルタ本体と、シェルタ本体の外周部に設けられた水平フランジ状の流れ留め囲（補助浮体）と、地面等の固定物に取り付けられた基礎杭と、シェルタ本体及び基礎杭を連結する連結索と、を備える。
【先行技術文献】
【特許文献】
【０００３】
【特許文献１】特開２００８−７４３８５号公報
【発明の概要】
【発明が解決しようとする課題】
【０００４】
しかしながら、従来の津波対策用シェルタにおいては、出入口が流れ留め囲の上方に設けられていたので、出入口が必然と高くなり、足の不自由な人や動物の出入りが困難であるという問題があった。
【０００５】
また、従来の津波対策用シェルタにおいては、流れ留め囲が設けられていたので、９０度以上傾いたときに流れ留め囲が邪魔をして元の状態に戻ることが困難であるという問題があった。
【０００６】
また、水密性の確保や、傾斜の方向性、通気口の確保、形成容易性、シェルタのバランス確保、流された人の救助、緊急脱出性、シェルタの設置容易性など、種々の問題点があった。
【０００７】
そこで、本発明はこれらの点に鑑みてなされたものであり、避難容易性や安全性など種々の観点から従来よりも有効に作用することができる津波対策用シェルタを提供することを本発明の目的としている。
【課題を解決するための手段】
【０００８】
（１）前述した目的を達成するため、本発明の津波対策用シェルタは、横方向内側に延びる下側フランジを上周縁部に有する略正立椀状に構成されており、正面視、背面視、右側面視又は左側面視の少なくとも一方視において出入口の周縁部の一部を構成する下方凹部を有する下筐体部と、横方向内側に延びる上側フランジを下周縁部に有する略倒立椀状に構成されており、正面視、背面視、右側面視又は左側面視の少なくとも一方視において出入口の周縁部の一部を構成する上方凹部を有する上筐体部と、を有する筐体と、下筐体部及び上筐体部の各内部並びに下方凹部及び上方凹部が相対するように接触する下側フランジ及び上側フランジを密着させる固定部と、下方凹部及び上方凹部より構成される出入口の周縁部に密着する水密ドアと、下筐体部に設けられる下面部の内側又は外側に固定される浮体部と、を備えていることを特徴としている。
【０００９】
これにより、出入口が下筐体部及び上筐体部の上下方向に延びていることから、開口部の下端が低く、かつ、開口部面積が大きくなるので、足が不自由でも出入りを容易かつ迅速に行うことができる。また、フランジなどの突出物が内側に延びているため、津波対策用シェルタの傾斜復元時にフランジや固定部が邪魔して元の状態に戻らないといったことを防止することができる。また、フランジが内側に延びているため、固定部による固定が容易である。また、フランジが内側に延びているため、下側フランジ及び上側フランジの合わせ面のみに水密処理すればよいため、固定部からの水漏れ処理などの煩わしい処理を排除することができる。また、水密ドアが出入口の周縁部に密着するので、出入口からの水漏れを防止することができる。また、浮体部が下筐体部の下面部の内側又は外側に固定されているので、津波時に津波対策用シェルタを浮遊させることができると共に、津波対策用シェルタが平常状態と同じ向きになるように津波対策用シェルタのバランスを取ることができる。
【００１０】
（２）また、本発明の津波対策用シェルタにおいて、筐体は、平面状又は曲面状の正面部、背面部、左側面部、右側面部、上面部及び下面部により構成されており前後方向を長手方向とする略中空直方体状に構成されていると共に、正面部及び背面部のうちの少なくとも一方に換気口を有することが好ましい。
【００１１】
これにより、津波対策用シェルタが右側面部側又は左側面部側に傾斜しやすくなると共に、正面部側及び背面部側に傾斜することを防止することができるので、高水密性の換気口を使用せずとも換気口から水漏れすることを防止することができる。
【００１２】
（３）また、本発明の津波対策用シェルタにおいて、少なくとも右側面部及び左側面部は、各面部の接触部において各面部が平面直交状態の場合と比較して５〜１５度外側に傾斜していることが好ましい。
【００１３】
これにより、筐体をＦＲＰで形成する際に離型しやすくすることができる。また、直方体に近い形状になるため、筐体内部の室内空間を有効利用することができる。また、津波発生時に津波対策用シェルタを右側面部側又は左側面部側に滑らかに傾かせることができる。
【００１４】
（４）また、本発明の津波対策用シェルタにおいて、下側フランジ及び上側フランジは、イス、物入れ、人体固定具その他の内装物の支持部として兼用されることが好ましい。
【００１５】
これにより、フランジを室内空間の不要物としてではなく、支持部として有効利用することができるので、筐体内部に別個の支持部を敢えて設ける必要がなくなり、水漏れ等の発生源を低減することができる。
【００１６】
（５）また、本発明の津波対策用シェルタにおいて、下筐体部及び浮体部のうち最下面となる下面部は、平面状に構成されており、浮体部は、平板状に構成されていることが好ましい。
【００１７】
これにより、平常時においては平地に設置することが容易になる。また、浮体部が平板状なので、平常時及び津波時においても津波対策用シェルタのバランスを取りやすくなる。
【００１８】
（６）また、本発明の津波対策用シェルタにおいて、津波対策用シェルタの体積及び重量は、津波対策用シェルタが津波によって流されたとき、喫水線が下筐体部の下面から下方凹部の間に位置するように設定されており、浮体部の重量は、津波対策用シェルタが最低重量であって水面上静止状態において転倒しないように設定されていることが好ましい。
【００１９】
これにより、津波で流された状態においても水密ドアを開閉して流された人を救助することができる。
【００２０】
（７）また、本発明の津波対策用シェルタにおいて、浮体部は、撥水性を有することにより、海水等の液体に接したときに重量変化をほとんど生じないように構成されていることが好ましい。
【００２１】
これにより、津波で浮体部が水没しても喫水線の位置が大きく上下することを防止することができる。
【００２２】
（８）また、本発明の津波対策用シェルタにおいて、筐体の正面部、背面部、右側面部、左側面部及び上面部のうちの少なくとも一個の面部は、窓部及び／又は非常口を有することが好ましい。
【００２３】
これにより、窓部から外の様子をうかがうことができる。また、ドアの開閉ができなくなっても非常口から脱出することができる。
【００２４】
（９）また、本発明の津波対策用シェルタにおいて、筐体は、吊り金具／及び固定金具を有することが好ましい。
【００２５】
これにより、クレーン等により津波対策用シェルタの設置を容易に行うことができる。また、平地設置時に津波対策用シェルタを容易に固定することができる。
【００２６】
これにより、クレーン等により津波対策用シェルタの設置を容易に行うことができる。
【発明の効果】
【００２７】
本発明の津波対策用シェルタによれば、上記の優れた作用効果を生じるので、避難容易性や安全性など種々の観点から従来よりも有効に作用することができるという効果を奏する。
【図面の簡単な説明】
【００２８】
【図１】図１は、本実施形態の津波対策用シェルタを示す斜視図である。
【図２】図２は、本実施形態の津波対策用シェルタを示す正面図又は背面図である。
【図３】図３は、本実施形態の津波対策用シェルタを示す左側面図である。
【図４】図４は、本実施形態の津波対策用シェルタを示す右側面図である。
【図５】図５は、本実施形態の津波対策用シェルタを示す平面図である。
【図６】図６は、本実施形態の津波対策用シェルタを示す底面図である。
【図７】図７は、本実施形態の津波対策用シェルタの内部を示す縦断面図である。
【図８】図８は、本実施形態の津波対策用シェルタにおける下側フランジ及び上側フランジを示す拡大断面図である。
【図９】図９は、本実施形態の津波対策用シェルタがその長手方向に延びる中心軸を回転軸として約７０度傾斜した状態を示す縦断面図である。
【図１０】図１０は、本実施形態の津波対策用シェルタがその長手方向に延びる中心軸を回転軸として約１６０度傾斜した状態を示す縦断面図である。
【発明を実施するための形態】
【００２９】
以下、図を用いて、本発明の津波対策用シェルタをその一実施形態により説明する。
【００３０】
図１は、本実施形態の津波対策用シェルタ１を示す斜視図である。図２は、本実施形態の津波対策用シェルタ１を示す正面図又は背面図である。図３は、本実施形態の津波対策用シェルタ１を示す左側面図である。図４は、本実施形態の津波対策用シェルタ１を示す右側面図である。図５は、本実施形態の津波対策用シェルタ１を示す平面図である。図６は、本実施形態の津波対策用シェルタ１を示す底面図である。図７は、本実施形態の津波対策用シェルタ１の内部を示す縦断面図である。図８は、本実施形態の津波対策用シェルタ１における下側フランジ２１１及び上側フランジ２２１を示す拡大断面図である。
【００３１】
（全体構成）
本実施形態の津波対策用シェルタ１は、図１〜図８に示すように、筐体２、固定部３、水密ドア４及び浮体部５を備える。この津波対策用シェルタ１の一般諸元の一例は次の通りである。全長は約６ｍ、全幅は約２ｍ、全高は約２ｍ、軽荷重量は１３００ｋｇ、定員は２０名、満載重量は２８００ｋｇ、満載状態での喫水線Ｌの位置は下端から約２３０ｍｍである。
【００３２】
（筐体２）
筐体２は、図１に示すように、ＦＲＰ板などの軽量かつ高剛性の耐水板を用いて、前後方向を長手方向とする略中空直方体状に構成されている。
【００３３】
また、筐体２は、図２に示す正面部２Ａ及び背面部２Ｂ、図３に示す左側面部２Ｃ、図４に示す右側面部２Ｄ、図５に示す上面部２Ｅ、図６に示す下面部２Ｆ、により構成される。それら各面は、平面状又は曲面状に形成されている。
【００３４】
正面部２Ａ及び背面部２Ｂは、図２に示すように、換気口２０１を有する。これらの換気口２０１は、正面部２Ａ及び背面部２Ｂのうちの少なくとも一方に設けられていることが好ましい。換気口２０１としては、例えば、パネル・バン（運転室と荷物室が一体となっているトラック）の荷室などに用いられる、スリットパネルやルーバパネルなどが挙げられる。
【００３５】
正面部２Ａ、背面部２Ｂ、右側面部２Ｄ、左側面部２Ｃの傾斜角Ｘは、図２、図３及び図７に示すように、各面部が平面直交状態の場合（各図の点線を参照）と比較して、外側に５〜１５度であることが好ましい。
【００３６】
また、正面部２Ａ、背面部２Ｂ、右側面部２Ｄ、左側面部２Ｃは、図２〜図４に示すように、窓部２０２を有することが好ましい。この窓部２０２は、破損防止のため、透明のポリカーボネート材を用いて形成されていることが好ましい。また、この窓部２０２は、水密性の向上のため、はめ殺し窓であることが好ましい。
【００３７】
上面部２Ｅは、非常口２０３を有することが好ましい。非常口２０３としては、例えば、矩形状に形成された水密ハッチが挙げられる。水密ハッチは、その一辺にヒンジを有しており、津波対策用シェルタ１の内部から水密ハッチを押すことによりその外側に開く構造になっている。
【００３８】
下面部２Ｆは、図２及び図７に示すように、平面状に構成されていることが好ましい。下面部２Ｆの平面度は、津波対策用シェルタ１が平地で安定して載置できる程度である。
【００３９】
また、筐体２は、吊り金具２０４及び固定金具２０５を有する。吊り金具２０４は、左側面部２Ｃ及び右側面部２Ｄの各上部にそれぞれ２個ずつ固定されており、クレーン等で吊るための穴が設けられている。また、固定金具２０５は、左側面部２Ｃ及び右側面部２Ｄの各前後中央部にそれぞれ２個ずつ固定されており、津波対策用シェルタ１が載置される平地に固定された杭などに連結したワイヤー等を結びつけるための穴が設けられている。
【００４０】
また、筐体２は、下筐体部２１０及び上筐体部２２０を有する。
【００４１】
（下筐体部２１０）
下筐体部２１０は、図７に示すように、略正立椀状に構成されている。この下筐体部２１０は、図８に示すように、上周縁部に、横方向内側に延びる下側フランジ２１１を有する。
【００４２】
また、下筐体部２１０は、図３に示すように、正面視、背面視、右側面視及び左側面視の少なくとも一方視（本実施形態においては左側面視）において、出入口２０６の周縁部の下部を構成する下方凹部２１２を有する。下方凹部２１２の下端は、下筐体部２１０の下端（下面部２Ｆ）から３５０ｍｍの高さに位置する。
【００４３】
また、下筐体部２１０は、図８に示すように、ＦＲＰ単板を用いる構造であることが好ましい。
【００４４】
（上筐体部２２０）
上筐体部２２０は、図７に示すように、略倒立椀状に構成されている。この上筐体部２２０は、図８に示すように、下周縁部に、横方向内側に延びる上側フランジ２２１を有する。
【００４５】
また、上筐体部２２０は、図３に示すように、正面視、背面視、右側面視及び左側面視の少なくとも一方視（本実施形態においては左側面視）において、出入口２０６の周縁部の上部を構成する上方凹部２２２を有する。
【００４６】
また、上筐体部２２０の外壁は、図８に示すように、耐衝撃性及び耐熱性等を向上させるため、ＦＲＰ製の外側板２２３及び内側板２２４の間に約１５ｍｍのアクリルフォームの芯材が挟まれた約２０ｍｍ厚のサンドイッチ構造であることが好ましい。
【００４７】
（固定部３）
固定部３は、下側フランジ２１１及び上側フランジ２２１を密着させる。その際、図７及び図８に示すように、下筐体部２１０及び上筐体部２２０の各内部が相対し、かつ、下方凹部２１２及び上方凹部２２２が相対するように、下側フランジ２１１及び上側フランジ２２１を接触させる。
【００４８】
本実施形態の固定部３は、図８に示すように、接合面固定部３１及び接合境界補助固定部３２を有する。接合面固定部３１としては、図８に示すようなエポキシ系樹脂接着材などのＦＲＰ用接着剤や、図示しないボルト＆ナットなどの機械的な固定部材などが挙げられる。接合境界補助固定部３２としては、図８に示すように、接合境界線を外側から覆うＦＲＰ製の補助パネル３２１及びＦＲＰ接着用の補助パネル接着剤３２２が挙げられる。なお、補助パネル接着剤３２２を用いずに、補助パネル３２１をウェット状態で貼付してもよい。
【００４９】
また、固定された下側フランジ２１１及び上側フランジ２２１は、図７に示すように、長手方向に延びる長イス１１の背もたれ、物入れ、４点式シートベルトやＵ字状シートバーなどの人体拘束具その他の内装物の支持部として兼用されることが好ましい。
【００５０】
（水密ドア４）
水密ドア４は、出入口２０６の周縁部に密着する。この出入口２０６は、下方凹部２１２及び上方凹部２２２より構成される。
【００５１】
（浮体部５）
浮体部５は、下筐体部２１０に設けられる下面部２Ｆの内側又は外側に固定される。本実施形態の浮体部５は、図７に示すように、下面部２Ｆの内側に固定されている。また、浮体部５の上面には平床材５２が配置される。平床材５２は、約１５ｍｍ厚のアクリルフォームを芯材としてＦＲＰサンドイッチ構造になっており、その厚さは約２０ｍｍである。
【００５２】
また、浮体部５は、図７に示すように、平板状に構成されていることが好ましい。
【００５３】
また、浮体部５は、撥水性を有することにより、海水等の液体に接したときに重量変化をほとんど生じないように構成されていることが好ましい。浮体部５としては、例えば、下面部２Ｆ及び浮体部５に穴が開いても沈まないよう、発泡プラスティック、特に、ウレタンフォーム（比重０．０３程度）であることが好ましい。
【００５４】
また、浮体部５の重量は、津波対策用シェルタ１が最低重量（軽荷状態）であって水面上で静止状態において、転倒しないように設定されている。
【００５５】
（津波対策用シェルタ１の効果）
次に、図を用いて、本実施形態の津波対策用シェルタ１の効果を説明する。
【００５６】
図９は、本実施形態の津波対策用シェルタ１がその長手方向に延びる中心軸を回転軸として約７０度傾斜した状態を示す縦断面図である。図１０は、本実施形態の津波対策用シェルタ１がその長手方向に延びる中心軸を回転軸として約１６０度傾斜した状態を示す縦断面図である。
【００５７】
（１）本実施形態の津波対策用シェルタ１は、横方向内側に延びる下側フランジ２１１を上周縁部に有する略正立椀状に構成されており、正面視、背面視、右側面視及び左側面視の少なくとも一方視において出入口２０６の周縁部の一部を構成する下方凹部２１２を有する下筐体部２１０と、横方向内側に延びる上側フランジ２２１を下周縁部に有する略倒立椀状に構成されており、正面視、背面視、右側面視及び左側面視の少なくとも一方視において出入口２０６の周縁部の一部を構成する上方凹部２２２を有する上筐体部２２０と、を有する筐体２と、下筐体部２１０及び上筐体部２２０の各内部並びに下方凹部２１２及び上方凹部２２２が相対するように接触する下側フランジ２１１及び上側フランジ２２１を密着させる固定部３と、下方凹部２１２及び上方凹部２２２より構成される出入口２０６の周縁部に密着する水密ドア４と、下筐体部２１０に設けられる下面部２Ｆの内側又は外側に固定される浮体部５と、を備えていることを特徴としている。
【００５８】
これにより、出入口２０６が下筐体部２１０及び上筐体部２２０の上下方向に延びていることから、開口部の下端が低く、かつ、開口部面積が大きくなるので、足が不自由でも出入りを容易かつ迅速に行うことができる。また、フランジなどの突出物が内側に延びているため、津波対策用シェルタ１の傾斜復元時にフランジや固定部３が邪魔して元の状態に戻らないといったことを防止することができる。また、フランジが内側に延びているため、固定部３による固定が容易である。また、フランジが内側に延びているため、下側フランジ２１１及び上側フランジ２２１の合わせ面のみに水密処理すればよいため、固定部３からの水漏れ処理などの煩わしい処理を排除することができる。また、水密ドア４が出入口２０６の周縁部に密着するので、出入口２０６からの水漏れを防止することができる。また、浮体部５が下筐体部２１０の下面部２Ｆの内側又は外側に固定されているので、津波時に津波対策用シェルタ１を浮遊させることができると共に、津波対策用シェルタ１が平常状態と同じ向きになるように津波対策用シェルタ１のバランスを取ることができる。例えば、津波対策用シェルタ１は、軽荷状態で図９に示す約７０度、乗員イス固定での満載状態で図１０に示す約１６０度の傾斜から復元する実験結果を得ているので、事実上の不沈状態を維持することができる。
【００５９】
（２）また、本実施形態の津波対策用シェルタ１において、筐体２は、平面状又は曲面状の正面部２Ａ、背面部２Ｂ、左側面部２Ｃ、右側面部２Ｄ、上面部２Ｅ及び下面部２Ｆにより構成されており前後方向を長手方向とする略中空直方体状に構成されていると共に、正面部２Ａ及び背面部２Ｂのうちの少なくとも一方に換気口２０１を有することが好ましい。
【００６０】
これにより、津波対策用シェルタ１が右側面部２Ｄ側又は左側面部２Ｃ側に傾斜しやすくなると共に、正面部２Ａ側及び背面部２Ｂ側に傾斜することを防止することができるので、高水密性の換気口２０１を使用せずとも換気口２０１から水漏れすることを防止することができる。
【００６１】
（３）また、本実施形態の津波対策用シェルタ１において、少なくとも右側面部２Ｄ及び左側面部２Ｃは、各面部の接触部において各面部が平面直交状態の場合と比較して５〜１５度外側に傾斜していることが好ましい。
【００６２】
これにより、筐体２をＦＲＰで形成する際に離型しやすくすることができる。また、直方体に近い形状になるため、筐体２内部の室内空間を有効利用することができる。また、津波発生時に津波対策用シェルタ１を右側面部２Ｄ側又は左側面部２Ｃ側に滑らかに傾かせることができる。
【００６３】
（４）また、本実施形態の津波対策用シェルタ１において、下側フランジ２１１及び上側フランジ２２１は、イス、物入れ、人体固定具その他の内装物の支持部として兼用されることが好ましい。
【００６４】
これにより、フランジを室内空間の不要物としてではなく、支持部として有効利用することができるので、筐体２内部に別個の支持部を敢えて設ける必要がなくなり、水漏れ等の発生源を低減することができる。
【００６５】
（５）また、本実施形態の津波対策用シェルタ１において、下筐体部２１０及び浮体部５のうち最下面となる下面部２Ｆは、平面状に構成されており、浮体部５は、平板状に構成されていることが好ましい。
【００６６】
これにより、平常時においては平地に設置することが容易になる。また、浮体部５が平板状なので、平常時及び津波時においても津波対策用シェルタ１のバランスを取りやすくなる。
【００６７】
（６）また、本実施形態の津波対策用シェルタ１において、津波対策用シェルタ１の体積及び重量は、津波対策用シェルタ１が津波によって流されたとき、喫水線Ｌが下筐体部２１０の下面から下方凹部２１２の間に位置するように設定されており、浮体部５の重量は、津波対策用シェルタ１が最低重量であって水面上静止状態において転倒しないように設定されていることが好ましい。
【００６８】
これにより、津波で流された状態においても水密ドア４を開閉して流された人を救助することができる。
【００６９】
（７）また、本実施形態の津波対策用シェルタ１において、浮体部５は、撥水性を有することにより、海水等の液体に接したときに重量変化をほとんど生じないように構成されていることが好ましい。
【００７０】
これにより、津波で浮体部５が水没しても喫水線Ｌの位置が大きく上下することを防止することができる。
【００７１】
（８）また、本実施形態の津波対策用シェルタ１において、筐体２の正面部２Ａ、背面部２Ｂ、右側面部２Ｄ、左側面部２Ｃ及び上面部２Ｅのうちの少なくとも一個の面部は、窓部２０２及び／又は非常口２０３を有することが好ましい。
【００７２】
これにより、窓部２０２から外の様子をうかがうことができる。また、ドアの開閉ができなくなっても非常口２０３から脱出することができる。
【００７３】
（９）また、本実施形態の津波対策用シェルタ１において、筐体２は、吊り金具２０４／及び固定金具２０５を有することが好ましい。
【００７４】
これにより、クレーン等により津波対策用シェルタ１の設置を容易に行うことができる。また、平地設置時に津波対策用シェルタ１を容易に固定することができる。
【００７５】
すなわち、本実施形態の津波対策用シェルタ１によれば、上記の優れた作用効果を生じるので、避難容易性や安全性など種々の観点から従来よりも有効に作用することができるという効果を奏する。
【００７６】
なお、本発明は、前述した実施形態などに限定されるものではなく、必要に応じて種々の変更が可能である。
【符号の説明】
【００７７】
１  津波対策用シェルタ
２  筐体
２Ａ  正面部
２Ｂ  背面部
２Ｃ  左側面部
２Ｄ  右側面部
２Ｅ  上面部
２Ｆ  下面部
３  固定部
４  水密ドア
５  浮体部
１１  長イス
３１  接合面固定部
３２  接合境界補助固定部
５２  平床材
２０１  換気口
２０２  窓部
２０３  非常口
２０４  吊り金具
２０５  固定金具
２０６  出入口
２１０  下筐体部
２１１  下側フランジ
２１２  下方凹部
２１３  ＦＲＰ単板
２２０  上筐体部
２２１  上側フランジ
２２２  上方凹部
２２３  外側板
２２４  内側板
２２５  アクリルフォームの芯材
３２１  補助パネル
３２２  補助パネル接着剤
Ｌ  喫水線
Ｘ  正面部、背面部、右側面部又は左側面部の傾斜角
【図１】
2014159218.tif 000003
【図２】
2014159218.tif 000004
【図３】
2014159218.tif 000005
【図４】
2014159218.tif 000006
【図５】
2014159218.tif 000007
【図６】
2014159218.tif 000008
【図７】
2014159218.tif 000009
【図８】
2014159218.tif 000010
【図９】
2014159218.tif 000011
【図１０】
2014159218.tif 000012